(57)【要約】【課題】ユーザと親密とされる個人と、外部からリアルタイムに取得される情報との関わりをユーザに対して常に通知可能とすること。【解決手段】親密度推定部１０１ｂは、携帯電話端末装置２００から取得した通信履歴の必要項目（通信パケット量（若しくは電子メール送信件数）又は通話時間）の合計値の情報に基づいて、携帯電話端末装置２００の所有者と、個人情報及び通信履歴に含まれる個人との親密度を推定する。情報取得部１０１ｃは、情報取得通信制御部１０２を介して外部の情報源からリアルタイムに気象情報や緊急災害情報等の情報を取得する。出力制御部１０１ｆは、情報通知必要性判定部１０１ｅによって取得された情報のうち、情報をユーザである運転者に通知する必要があると判定された「親密個人」及び該当情報を入出力部１０４から表示出力及び／又は音声出力する様に制御する。【選択図】        図１
2010154121.tif 000002
【特許請求の範囲】
【請求項１】
携帯端末装置が他の通信装置と通信を行う通信相手の個人情報、及び、前記通信相手と行った通信の通信履歴を前記携帯端末装置から取得する個人情報及び通信履歴取得部と、
前記個人情報及び通信履歴取得部によって取得された前記個人情報及び前記通信履歴に基づき、前記携帯端末装置の利用者と、前記個人情報及び前記通信履歴に該当する個人との親密度が所定値以上である通信相手を前記携帯端末装置の利用者と親密な関係にある親密個人であると推定する親密個人推定部と
を有することを特徴とする車載装置。
【請求項２】
情報源から情報を取得する情報取得部と、
自装置及び前記親密個人の位置を取得する位置取得部と、
前記情報取得部によって取得された前記情報に基づいて該情報の情報種別及び情報対象地点を特定する情報対象地点特定部と、
前記情報種別と、前記情報対象地点と、前記車載装置及び前記親密個人の位置とに基づいて前記情報が前記親密個人に関連する情報であるか否かを判定し前記情報を前記携帯端末装置の利用者に通知する必要性があるか否かを判定する情報通知必要性判定部と、
前記情報通知必要性判定部によって前記情報を前記携帯端末装置の利用者に通知する必要性があると判定された場合、前記親密個人に関連する情報を車両の車室内に配置される出力装置から出力するように制御する出力制御部と
を有することを特徴とする請求項１記載の車載装置。
【請求項３】
前記出力制御部は、該当親密個人に関連する情報を概略情報から詳細情報へと段階的に出力するように前記出力装置から出力するタイミングを制御する
ことを特徴とする請求項２記載の車載装置。
【請求項４】
前記親密個人に関連する情報の通知に対する前記携帯端末装置の利用者による選択を受け付ける選択受付部を有し、
前記出力制御部は、前記選択受付部によって受け付けられた選択に応じて前記親密個人に関連する情報を前記出力装置から出力するように制御する
ことを特徴とする請求項２又は３記載の車載装置。
【請求項５】
車両の車室内で車載装置と携帯端末装置とが通信を行う情報通知システムであって、
前記携帯端末装置は、
他の通信装置と通信を行う通信相手の通信個人の個人情報を管理する個人情報管理部と、
前記通信相手と行った通信の通信履歴を管理する通信履歴管理部と、
前記車載装置との通信を制御する携帯端末通信制御部と、
前記個人情報及び前記通信履歴を前記車載装置へ出力する個人情報及び通信履歴出力部と
を有し、
前記車載装置は、
各前記携帯端末装置から前記個人情報及び前記通信履歴を取得する個人情報及び通信履歴取得部と、
前記個人情報及び通信履歴取得部によって取得された前記個人情報及び前記通信履歴に基づき、前記携帯端末装置の利用者と、前記個人情報及び前記通信履歴に該当する個人との親密度が所定値以上である通信相手を前記携帯端末装置の利用者と親密な関係にある親密個人であると推定する親密個人推定部と、
情報源から情報を取得する情報取得部と、
自装置及び前記親密個人の位置を取得する位置取得部と、
前記情報取得部によって取得された前記情報に基づいて該情報の情報種別及び情報対象地点を特定する情報対象地点特定部と、
前記情報種別と、前記情報対象地点と、前記車載装置及び前記親密個人の位置とに基づいて前記情報が前記親密個人に関連する情報であるか否かを判定し前記情報を前記ユーザに通知する必要性があるか否かを判定する情報通知必要性判定部と、
前記情報通知必要性判定部によって前記情報を前記携帯端末装置の利用者に通知する必要性があると判定された場合、前記親密個人に関連する情報を車両の車室内に配置される出力装置から出力するように制御する出力制御部と
を有することを特徴とする情報通知システム。
【発明の詳細な説明】
【技術分野】
【０００１】
本発明は、携帯端末装置のユーザの親密な個人に関係する気象情報や緊急災害情報等の情報をユーザに通知する車載装置及び情報通知システムに関する。
【背景技術】
【０００２】
従来から、携帯電話装置に代表される通話や電子メールの送受信（以下、通話及び電子メールの送受信を携帯通信と総称する）が可能な携帯端末装置に記憶されている電話帳（携帯通信相手の電話番号や電子メールアドレスを含む該当個人の個人情報）、及び、通信履歴（携帯通信を行った時刻とともに携帯通信の相手の電話番号や電子メールアドレス等の個人情報を含む履歴情報）を、例えば車両に備えられる車載装置に所定の方法にて格納する従来技術が知られている。
【０００３】
【特許文献１】特開２００４−２２９２１４号公報
【特許文献２】特開２００７−７４３１５号公報
【特許文献３】特開２００２−２９６０４５号公報
【特許文献４】特開２００４−２９４３１０号公報
【特許文献５】特開２００８−４８０５１号公報
【発明の開示】
【発明が解決しようとする課題】
【０００４】
しかしながら、上記特許文献１〜５及びこれらを組み合わせた従来技術は、車載装置側で携帯端末装置と同等の機能を実現するために、電話帳や通信履歴の情報を車載装置側へ出力するに過ぎない。
【０００５】
車両の運転中であっても、車載装置等によってテレビジョン番組、ラジオ番組又はインターネット等の外部からリアルタイムに気象情報や緊急災害情報等の情報が取得可能である。しかし、例えば、車両の運転中でこれらの情報取得機能を作動させていない場合、電話帳や通信履歴に記憶されている個人情報に該当する個人のうちユーザの親密個人が情報に何らかの関わりがあって安否が懸念される親密個人の安否を車両の乗員（ユーザ）に通知し得なかった。
【０００６】
本発明は、上記問題点（課題）を解消するためになされたものであって、電話帳や通信履歴に記憶されている個人情報のうちユーザと親密とされる個人と、テレビジョン番組、ラジオ番組又はインターネット等の外部からリアルタイムに取得される情報との関わりをユーザに対して通知可能とする車載装置及び情報通知システムを提供することを目的とする。
【課題を解決するための手段】
【０００７】
上述した問題を解決し、目的を達成するため、本発明は、ユーザが所持する携帯端末装置によって管理されるユーザが該携帯端末装置を用いて他の通信装置と通信を行う相手である個人の個人情報、及び、ユーザが前記携帯端末装置を用いて個人と行った通信の通信履歴を携帯端末装置から取得し、取得された携帯端末装置毎の個人情報及び通信履歴に基づき、ユーザと、個人情報及び通信履歴に該当する個人との親密度が所定値以上である個人をユーザと親密な関係にある親密個人であると推定し、情報源から情報を取得し、車載装置の位置を取得し、取得された情報に基づいて該情報の情報種別及び情報対象地点を特定し、情報種別と、情報対象地点と、車載装置及び親密個人の位置とに基づいて情報が親密個人に関連する情報であるか否かを判定することによって情報をユーザに通知する必要性があるか否かを判定し、情報をユーザに通知する必要性があると判定された場合、親密個人毎の情報を出力装置から適時に出力するように制御することを要件とする。
【発明の効果】
【０００８】
本発明によれば、ユーザが車両の運転中であって、外部からリアルタイムに取得される情報のうち、ユーザが所持する携帯端末装置の電話帳や通信履歴に記憶されている個人情報に該当する親密個人に不利益を与える可能性がある情報を車載装置がユーザに通知するので、運転者等車両の乗員であるユーザは、リアルタイムに親密個人がおかれている状況を認識することが出来るという効果を奏する。また、親密個人に関わる外部からの各種情報と、親密個人の位置情報とに基づいて、親密個人の安否確認、救援、ピックアップ（迎えに行くこと）を迅速に行い、運転中の車両を用いて親密個人の救済を速やかに行うことができるという効果を奏する。
【発明を実施するための最良の形態】
【０００９】
以下に添付図面を参照し、本発明の車載装置及び情報通知システムに係る実施形態の一例を詳細に説明する。なお、以下に示す情報通知システムに含まれる車載装置は、車両に搭載される携帯通信機能を有する車載装置であるとする。しかし、情報通知装置は、車載装置に限られるものではない。
【００１０】
また、以下に示す情報通知システムに含まれる携帯端末装置は、上記車載装置が搭載される車両の車室内に持ち込まれた携帯電話端末装置であるとするが、携帯電話端末装置を始めとする携帯通信可能な一般的な携帯情報端末（ＰＤＡ（Personal  Digital  Assistant）、可搬型パーソナルコンピュータ装置等）であってもよい。なお、情報通知を行う装置は、車載装置に限られない情報通知装置であってもよい。この場合、上記携帯端末装置は、情報通知装置を中心とする一定範囲内に持ち込まれた携帯端末装置とする。
【００１１】
また、以下の実施形態の一例でいう「親密個人」とは、車載装置がユーザの携帯端末装置から取得した電話帳及び通信履歴の情報に基づいて、ユーザの携帯端末装置での携帯通信の頻度が高いためユーザと親密であると推定される個人である。なお、携帯通信の頻度の評価は、電話帳に含まれる個人属性に基づき、ユーザと個人的な関係にある属性を有する個人のみを対象としてもよい。
【００１２】
また、以下の実施形態の一例でいう「個人情報」とは、ユーザの携帯端末装置の電話帳に格納される携帯通信を行う相手方の電話番号、電子メールアドレスを含む属性情報である。また、単に「情報」という場合は、例えばテレビジョン番組、ラジオ番組、インターネット等の外部の情報源からリアルタイムに取得できる気象情報や緊急災害情報等の情報を指す。また、以下の実施形態の一例でいう「ユーザ」は、車両を運転する運転者を指すが、これに限定されず、車両に同乗する乗員を含んでもよい。
【００１３】
先ず、図１を参照して、実施形態の一例に係る情報通知システムの構成について説明する。同図に示す様に、情報通知システムＳは、車載装置１００と、少なくとも１台の携帯電話端末装置２００とを含む。
【００１４】
車載装置１００は、マイクロ・コンピュータ等の制御装置である制御部１０１と、情報取得通信制御部１０２及び情報取得通信制御部１０２のアンテナ１０２ａと、情報取得通信制御部１０２を介して取得した情報（例えば気象情報や緊急災害情報等の情報）を管理する情報管理部１０３と、入出力部１０４と、装置側携帯端末通信制御部１０５及び装置側携帯端末通信制御部１０５のアンテナ１０５ａと、車載装置１００が備えられる車両の位置情報及び親密個人の位置情報を取得する位置取得部１０５と、携帯通信を制御する装置側通信制御部１０７及び装置側通信制御部１０７のアンテナ１０７ａとを有する。
【００１５】
ここで、情報取得通信制御部１０２は、例えばテレビジョン番組、ラジオ番組又はインターネット等の外部の情報源からリアルタイムに気象情報や緊急災害情報等の情報の取得を制御する通信制御装置である。また、位置取得部１０６は、例えばＧＰＳ（Global  Positioning  System）装置等である。
【００１６】
また、入出力部１０４は、情報の出力を行う装置（表示装置及びスピーカ等）及び入力情報の受け付けを行う装置（操作スイッチ類、タッチパネルのタッチセンサ等）を包括概念的に指し示している。また、装置側携帯端末通信制御部１０５は、例えばBluetooth（登録商標、以下同様）等の近距離電波通信規格に従って各携帯電話端末装置２００と行う通信を制御する通信インターフェースである。
【００１７】
制御部１０１は、個人情報及び通信履歴取得部１０１ａと、親密度推定部１０１ｂと、情報取得部１０１ｃと、情報対象地点特定部１０１ｄと、情報通知必要性判定部１０１ｅと、出力制御部１０１ｆと、選択受付部１０１ｇとを有する。
【００１８】
個人情報及び通信履歴取得部１０１ａは、例えば携帯電話端末装置２００が車両に持ち込まれたことを契機として、装置側携帯端末通信制御部１０５を介して携帯電話端末装置２００から個人情報及び通信履歴を取得する。
【００１９】
親密度推定部１０１ｂは、個人情報及び通信履歴取得部１０１ａによって取得された個人情報及び通信履歴に基づいて、携帯電話端末装置２００の所有者と、個人情報及び通信履歴に含まれる個人との親密度を推定する。
【００２０】
すなわち、親密度推定部１０１ｂは、携帯電話端末装置２００から取得した通信履歴の所定項目（通信パケット量（若しくは電子メール送信件数）又は通話時間）の合計値の情報（図４に例示する通信時間合計一時記憶テーブルに格納される「通信時間合計情報」）等に基づいて、携帯電話端末装置２００の所有者と、個人情報及び通信履歴に含まれる個人との親密度を推定する。具体的には、親密度は、通信パケット量（若しくは電子メール送信件数）又は通話時間の合計値が所定閾値以上であるか否か、住所が同一（または同一地域）であるか否か、氏名の姓が同一であるか否かに基づいて推定される。
【００２１】
または、親密度の推定を車載装置１００の親密度推定部１０１ｂが行う場合は、携帯電話端末装置２００から取得した通信履歴（図２に例示する携帯電話端末装置２００の通信履歴テーブルに格納される携帯通信の履歴情報）と、図３に例示する個人情報テーブルに格納される携帯電話端末装置２００の電話帳の情報）とに基づいて、携帯電話端末装置２００の所有者と、個人情報及び通信履歴に含まれる個人との親密度を推定する。
【００２２】
例えば、親密度推定部１０１ｂは、先ず、図２に例示する様な通信履歴テーブルに格納されている「氏名」及び／又は「相手先電話番号又は電子メールアドレス」をキー項目にして、同一キー項目に対応する行の「通信時間合計」及び携帯通信を行った「平均通話時刻」を算出する。
【００２３】
そして、「電話帳登録」が「あり」の場合、図２の個人情報テーブルで該当個人のグループが「プライベート」である個人毎、及び／又は、「平均通信時刻」が例えば“１８：００〜翌６：００”で個人的な通話であると推定される個人毎に通信時間（または通信回数もしくは通信パケット量）合計を算出する。
【００２４】
上記算出結果は、親密度推定部１０１ｂによって管理される図４に例示する様な通信時間（または通信回数もしくは通信パケット量）合計一時記憶テーブルに格納される。これは、「プライベート関係」及び／又は「平均通信時刻」が夕刻から深夜に及ぶ携帯通信の相手は「親密個人」である可能性が高いためである。そして、通信時間（または通信回数もしくは通信パケット量）合計が所定閾値以上である個人を「親密個人」であると推定する。
【００２５】
なお、個人情報テーブルで該当個人のグループが「プライベート」でなく「仕事」であっても通信時間（または通信回数もしくは通信パケット量）合計の値が大きい個人は仕事上重要な関係にある個人である可能性が高いので、通信時間合計を算出する際に“「プライベート関係」である”という条件を除外してもよい。なお、上記は、あくまで「親密個人」の推定方法の一例を示すに過ぎない。
【００２６】
親密度推定部１０１ｂは、「親密個人」であると推定した個人の個人情報を親密個人情報として親密個人情報管理部１０１ｂ１へ出力する。親密個人情報管理部１０１ｂ１は、「親密個人」であると推定された個人の親密個人情報を図５に例示する親密個人情報テーブルに格納する。
【００２７】
情報取得部１０１ｃは、情報取得通信制御部１０２を介してテレビジョン番組、ラジオ番組又はインターネット等の外部の情報源からリアルタイムに気象情報や緊急災害情報等の情報を取得する。そして、情報取得部１０１ｃは、取得した情報を情報管理部１０３に格納する。なお、気象情報、緊急災害情報等の区分が情報種別の一例である。
【００２８】
なお、外部の情報源は、テレビジョン番組、ラジオ番組又はインターネットに限られない。また、外部の情報源から取得される情報は、気象情報や緊急災害情報等の緊急情報に限られず、エンターテメント情報等の娯楽性がある情報であってもよい。
【００２９】
情報対象地点特定部１０１ｄは、車載装置１００の位置情報（すなわち、車両の位置情報）、及び、親密個人情報管理部１０１ｂ１によって管理される「親密個人」が所持する携帯電話端末装置２００の位置情報を位置取得部１０６から取得する。そして、情報対象地点特定部１０１ｄは、車載装置１００の位置と、携帯電話端末装置２００の位置との距離を計算し、距離が所定閾値（例えば１Ｋｍ、しかしこれに限定されるものではない）以内であるか否かを判定する。
【００３０】
情報対象地点特定部１０１ｄは、前述の距離が所定値以内である場合、情報取得部１０１ｃによって取得された情報が「親密個人」に関わる情報であるとし、ユーザに通知する必要があると判定する。
【００３１】
なお、情報対象地点特定部１０１ｄが、情報取得部１０１ｃによって取得された情報が「親密個人」に関わる情報であると判定する所定閾値は、緊急情報の緊急度合いに応じて変更してもよい。例えば、地震など広範囲に甚大な影響を及ぼす災害情報であれば、距離の所定閾値を通常（例えば１Ｋｍ、しかしこれに限定されるものではない）より大きく取る様にしてもよい。逆に、局地的な降雨等の気象情報は、遠距離に位置する「親密個人」の状況を通知してもユーザが車両を運転して救援に向かうことが出来ないため、距離の所定閾値を通常より小さく取る様にしてもよい。
【００３２】
出力制御部１０１ｆは、情報通知必要性判定部１０１ｅによって取得された情報のうち、「親密個人」に関わる情報としてユーザに通知する必要があると判定された該当情報及び「親密個人」を特定する情報（個人情報に含まれる）を入出力部１０４から表示出力及び／又は音声出力する様に制御する。このとき、出力制御部１０１ｆは、該当情報の詳細を入出力部１０４から表示出力及び／又は音声出力を行ってもよい時機であるか否かを判定する。
【００３３】
すなわち、出力制御部１０１ｆは、図示しない車両の車速を検知するセンサ、図示しないシフトレバー位置を検知するシフトレバーセンサ、図示しないパーキングブレーキの状態を検知するパーキングブレーキセンサの検知情報に基づき、該当情報を入出力部１０４から表示出力及び／又は音声出力を行っても安全な状況（例えば車両が停車中であること等）である場合にのみ表示出力及び／又は音声出力を行う。これは、車両の運転中は、運転者は携帯電話端末装置２００の使用を禁じられているためである。この様にして、該当情報をユーザである運転者に報知する際に、ユーザの取りうる行為が車両の運転に悪影響を及ぼさない様にして交通安全を図ることができる。
【００３４】
なお、出力制御部１０１ｆは、該当情報を入出力部１０４から表示出力及び／又は音声出力を行うと車両の運行が危険な状況となる場合、先ず該当情報の存在のみを通知し、車両の運行が危険とはならない安全な状況に至ったとき、該当情報の詳細情報を入出力部１０４から表示出力及び／又は音声出力する様に段階的に制御する。
【００３５】
出力制御部１０１ｆは、該当情報及び「親密個人」を入出力部１０４から表示出力する様に制御する場合、現在の状況をユーザに通知する「親密個人」が複数存在するとき、入出力部１０４の表示画面１０４ａにタッチパネルを重畳して備え、現在の状況を確認したい「親密個人」を選択するスイッチ表示画像を表示させてもよい。すなわち、「親密個人」及び／又は該当情報が複数存在する場合は、「親密個人」毎、該当情報毎に「親密個人の現状を詳細表示する」旨を入力するスイッチ表示画像を表示させる。
【００３６】
なお、ユーザである車両の運転者は、入出力部１０４から表示出力及び／又は音声出力された「親密個人」及び該当情報を認識して、自身の携帯電話端末装置２００又はその他の通信手段を利用して「親密個人」本にと連絡を取り、該当「親密個人」の現在の状況の確認、救援（車両で迎えに行く等）の必要性、及び、「親密個人」の安否を確認することができる。
【００３７】
選択受付部１０１ｇは、ユーザである運転者によって、入出力部１０４から出力される複数の「親密個人」及び該当情報から特定の「親密個人」及び該当情報に対応するスイッチ表示画像が押下されると、出力制御部１０１ｆに対して該当「親密個人」の該当情報を入出力部１０４から出力する様に指示する。
【００３８】
なお、該当情報が災害情報であり、位置取得部１０６によって「親密個人」が該当情報によって特定される地域に存在すると判明した場合、「親密個人」の安否が気掛りとなる。この場合、制御部１０１が、装置側通信制御部１０７及びアンテナ１０７ａを介した携帯通信によって「親密個人」が所持する携帯電話端末装置に対して自動通話又は自動電子メール送信を行う、若しくは、携帯電話キャリアによって提供される災害用伝言掲示板の自動参照することによって、ユーザは、「親密個人」の安否を確認することができる。
【００３９】
携帯電話端末装置２００は、ＤＳＰ（Digital  Signal  Processor）等の制御装置である携帯端末制御部２０１と、通信履歴管理部２０２と、電話帳等の携帯通信を行う相手の個人情報を管理する個人情報管理部２０３と、携帯端末入出力部２０４と、携帯端末通信制御部２０５及び携帯端末通信制御部２０５のアンテナ２０５ａと、通信制御部２０６及び通信制御部２０６のアンテナ２０６ａとを有する。
【００４０】
携帯端末入出力部２０４は、情報の出力を行う装置（表示装置及びスピーカ等）及び入力情報の受け付けを行う装置（携帯電話端末装置のキーボード、通話のためのマイク等）を包括概念的に指し示している。また、携帯端末通信制御部２０５は、Bluetooth等の近距離電波通信規格に従って車載装置１００と行う通信を制御する通信インターフェースである。また、携帯端末通信制御部２０５は、携帯電話端末装置２００の通常の通話及びパケット通信に使用される通信インターフェースである。
【００４１】
携帯端末制御部２０１は、通信履歴記録処理部２０１ａと、個人情報記録処理部２０１ｂと、個人情報及び通信履歴受渡部２０１ｃとを有する。通信履歴記録処理部２０１ａは、通信制御部２０６によって他の携帯電話端末装置２００と行った携帯通信の通信履歴を通信履歴管理部２０２によって管理される通信履歴テーブル（図２参照）に格納する。
【００４２】
個人情報記録処理部２０１ｂは、携帯端末入出力部２０４から入力された電話番号や電子メールアドレス等の個人情報を個人情報管理部２０３によって管理される個人情報テーブル（図３参照）に格納する。
【００４３】
個人情報及び通信履歴受渡部２０１ｃは、通信履歴管理部２０２によって管理される通信履歴テーブルに格納される通信履歴、及び、個人情報管理部２０３によって管理される個人情報テーブルに格納される個人情報から必要な項目を抽出して携帯端末通信制御部２０５を介して車載装置１００へ出力する。
【００４４】
図２は、携帯電話端末装置２００の通信履歴管理部２０２によって管理される通信履歴テーブルの一例を示す図である。通信履歴テーブルは、少なくとも「通信履歴ＩＤ」、「通信日」、携帯通信相手の「氏名」、「相手先電話番号又は電子メールアドレス」、「通信開始時刻」、「通信終了時刻」、「通信時間」、「通信パケット量」の項目を含む。なお、「相手先電話番号又は電子メールアドレス」の値が“電話番号”である場合、「通信パケット量」の値が“Ｎｕｌｌ”となり、「相手先電話番号又は電子メールアドレス」の値が“電子メールアドレス”である場合、「通信時間」の値が“Ｎｕｌｌ”となる。
【００４５】
図３は、携帯電話端末装置２００の個人情報管理部２０３によって管理される個人情報テーブルの一例を示す図である。個人情報テーブルは、少なくとも「個人ＩＤ」、「氏名」、「電話番号」、「電子メールアドレス」、「グループ」、「ＧＰＳ座標」の項目を含む。「グループ」とは、例えば該当個人がユーザとプライベートの関係を有する「プライベート」グループ又は該当個人がユーザと仕事上の関係を有する「仕事」グループの何れであるかを示す情報である。
【００４６】
図４は、車載装置１００の親密度推定部１０１ｂによって一時的に記憶される通信時間（または通信回数もしくは通信パケット量）合計一時記憶テーブルの一例を示す図である。通信時間（または通信回数もしくは通信パケット量）合計一時記憶テーブルは、少なくとも「個人ＩＤ」、「氏名」、「電話番号又は電子メールアドレス」、「電話帳登録」、「通信時間（または通信回数もしくは通信パケット量）合計」、「平均通信時刻」の項目を含む。なお、「電話帳登録」は、該当個人情報が携帯電話端末装置２００から取得された個人情報テーブルに格納されているか否かを示す情報である。
【００４７】
図５は、車載装置１００の親密個人情報管理部１０１ｂ１によって管理される親密個人情報テーブルの一例を示す図である。親密個人情報テーブルは、少なくとも「個人ＩＤ」、「電話番号」、「電子メールアドレス」の項目を含む。「親密個人」が関わっている可能性があり、該当「親密個人」の安否の確認を必要とする情報は、災害情報、事故情報、犯罪情報等の緊急性を有する情報を含む。災害情報、事故情報、犯罪情報等の緊急性を有する情報は、情報種別の一例である。
【００４８】
次に、図６のシーケンス図を参照して、車載装置１００で行われる携帯電話端末装置２００から取得した個人情報及び通信履歴に基づいて親密個人を推定する親密個人推定処理を説明する。親密個人推定処理は、ユーザの携帯電話端末装置２００で管理される通信履歴及び電話帳に格納される個人情報に基づき親密個人を推定し、親密個人の個人情報が常に新たな親密個人の個人情報を含みうる様に車載装置１００を学習させる処理である。なお、以下では、携帯電話帳とは、上記した電話帳と同義である。
【００４９】
先ず、ステップＳ１０１では、携帯電話端末装置２００の携帯端末制御部２０１の個人情報及び通信履歴受渡部２０１ｃは、通信履歴管理部２０２及び個人情報管理部２０３によって管理される通信履歴及び個人情報（携帯電話帳に格納される個人情報）を読み出す。なお、ステップＳ１０１は、ユーザが車両の運転手又は乗員として所持する携帯電話端末装置２００を車両に持ち込んだことを契機として実行される。
【００５０】
続いて、ステップＳ１０２では、個人情報及び通信履歴受渡部２０１ｃは、読み出した携帯電話帳の個人情報のうち、電話番号、電子メールアドレス、名前、グループ名、住所、ＧＰＳ情報、誕生日、メモの項目の値を抽出する。続いて、ステップＳ１０３では、個人情報及び通信履歴受渡部２０１ｃは、抽出した携帯電話帳の個人情報の項目の値を携帯端末通信制御部２０５を介して車載装置１００へ出力する。
【００５１】
続いて、ステップＳ１０４では、個人情報及び通信履歴受渡部２０１ｃは、読み出した通信履歴から携帯通信相手毎の電話番号、通信パケット量（若しくは電子メール送信件数）又は通話時間の値を抽出して合計する。続いて、ステップＳ１０５では、個人情報及び通信履歴受渡部２０１ｃは、携帯通信相手毎の通信履歴の項目（通信パケット量（若しくは電子メール送信件数）又は通話時間）の合計値を図４に例示する通信時間（または通信回数もしくは通信パケット量）合計一時記憶テーブルのデータ形式で携帯端末通信制御部２０５を介して車載装置１００へ出力する。
【００５２】
なお、ステップＳ１０２及びステップＳ１０４の処理は、車載装置１００の個人情報及び通信履歴取得部１０１ａが行ってもよい。すなわち、車載装置１００の個人情報及び通信履歴取得部１０１ａは、携帯電話端末装置２００から通信履歴の必要項目（通信パケット量（若しくは電子メール送信件数）又は通話時間）の値が合計されていない通信履歴そのものを取得して、通信履歴の必要項目の値の合計値を算出してもよい。これは、携帯電話端末装置２００の携帯端末制御部２０１の処理負荷を軽減するためである。
【００５３】
車載装置１００でステップＳ１０２及びステップＳ１０４の処理を行う場合、ステップＳ１０５の後、親密度推定部１０１ｂは、個人情報及び通信履歴取得部１０１ａによって携帯電話端末装置２００から取得された個人情報及び通信履歴の必要項目（通信パケット量（若しくは電子メール送信件数）又は通話時間）の合計を個人毎に合計する。
【００５４】
続いて、ステップＳ１０６では、車載装置１００の制御部１０１の親密度推定部１０１ｂは、取得した親密個人の個人情報の学習処理を行う。続いて、ステップＳ１０７では、親密度推定部１０１ｂは、親密個人を推定する処理を行う。具体的には、親密度推定部１０１ｂは、ステップＳ１０８〜ステップＳ１１０で親密個人の推定を行う。
【００５５】
ステップＳ１０８では、親密度推定部１０１ｂは、携帯通信相手毎の通信履歴の項目（通信パケット量（若しくは電子メール送信件数）又は通話時間）の合計値が所定閾値以上であり、かつ、携帯電話帳に登録されている個人を親密個人と推定する。
【００５６】
ステップＳ１０９では、親密度推定部１０１ｂは、携帯電話帳に登録されている個人のうち住所がユーザと同一である場合、該当個人を親密個人と推定する。ステップＳ１１０では、親密度推定部１０１ｂは、携帯電話帳に登録されている個人のうち姓がユーザと同一である場合、該当個人を親密個人と推定する。
【００５７】
続いて、ステップＳ１１１では、ステップＳ１０８〜ステップＳ１１０によって推定された親密個人の個人情報が携帯電話帳に登録されているか否かを判定し、登録されている場合に、詳細個人情報を携帯電話帳から取得して親密個人情報管理部１０１ｂ１によって管理される親密個人情報テーブルに格納する処理を開始する。具体的には、親密度推定部１０１ｂは、ステップＳ１１２〜ステップＳ１１９で親密個人の詳細な個人情報を携帯電話帳から取得して、親密度推定部１０１ｂが管理する一時記憶テーブルである親密個人情報ワークテーブル（図示せず）に格納する。
【００５８】
ステップＳ１１２では、親密度推定部１０１ｂは、携帯電話帳に登録されている、推定された親密個人の氏名を親密個人情報ワークテーブルにコピーする。ステップＳ１１３では、親密度推定部１０１ｂは、携帯電話帳に登録されている、推定された親密個人の性別を親密個人情報ワークテーブルにコピーする。ステップＳ１１４では、親密度推定部１０１ｂは、携帯電話帳に登録されている、推定された親密個人の誕生日を親密個人情報ワークテーブルにコピーする。
【００５９】
ステップＳ１１５では、親密度推定部１０１ｂは、携帯電話帳に登録されている、推定された親密個人の誕生日から年齢層を割り出して親密個人情報ワークテーブルにコピーする。ステップＳ１１６では、親密度推定部１０１ｂは、携帯電話帳に登録されている、推定された親密個人の住所又はＧＰＳ情報から割り出される住所を親密個人情報ワークテーブルにコピーする。
【００６０】
ステップＳ１１７では、親密度推定部１０１ｂは、携帯電話帳に登録されている、推定された親密個人の携帯電話番号（及び／又は固定電話番号）を親密個人情報ワークテーブルにコピーする。ステップＳ１１８では、親密度推定部１０１ｂは、携帯電話帳に登録されている、推定された親密個人の携帯電話番号（及び／又は固定電話番号）を親密個人情報ワークテーブルにコピーする。ステップＳ１１９では、親密度推定部１０１ｂは、携帯電話帳に登録されている、推定された親密個人の電子メールアドレスを親密個人情報ワークテーブルにコピーする。
【００６１】
続いて、ステップＳ１１９では、親密度推定部１０１ｂは、親密個人情報ワークテーブルにコピーされた親密個人毎に、携帯電話端末装置２００のユーザとの関係を推定する。続いて、ステップＳ１２０では、親密度推定部１０１ｂは、親密個人情報テーブルの更新処理を開始する。具体的には、ステップＳ１２１で、親密個人情報ワークテーブルの情報を以って親密個人情報管理部１０１ｂ１によって管理される親密個人情報テーブルを更新する。ステップＳ１２２では、親密個人情報管理部１０１ｂ１は、親密個人情報テーブルの更新完了又は更新失敗の応答を親密度推定部１０１ｂへ返す。
【００６２】
なお、親密個人情報テーブルに格納される情報は、車載装置１００の電源がオフとなっても保持される。これにより、次回、ユーザが携帯電話端末装置２００を所持し忘れて車両に乗り込んで車載装置１００の電源がオンとなった場合でも、保持されている親密個人情報テーブルに格納される情報を利用することが出来る。
【００６３】
また、親密個人情報テーブルの更新は、全ての情報を新たな情報で全置換する全置換方式であってもよいし、その都度新たな情報を追加していく蓄積方式であってもよい。全置換方式のメリットは、直近の親密個人のみに関して情報通知を行うため、処理負荷が軽減されることである。一方、蓄積方式のメリットは、過去に親密個人であった個人に関して、直近で親密個人となった個人と同等に情報通知を行うため、コミュニケーションが再開される契機となり得ることである。
【００６４】
以上の処理によって、ユーザが車両の運転手又は乗員として所持する携帯電話端末装置２００を車両に持ち込んだことを契機として、携帯電話端末装置２００によって管理される通信履歴及び携帯電話帳の情報に基づいて推定された親密個人の個人情報が車載装置１００によって取得される。
【００６５】
車載装置１００は、推定された親密個人の個人情報に基づいて、情報取得部１０１ｃによって取得された各種情報の対象地点に位置する該当親密個人に及ぶ不利益（例えば降雨、地震などの災害等）から該当親密個人を迅速に救援することが可能になる。親密個人は、ユーザと重要な人間関係を有して、何らかの事象に遭遇したと推定される場合、ユーザは懸念することとなる。親密個人に絞り込んで及び得る不利益を通知し、ユーザが何らかの措置を取りうる様にすることで、ユーザの懸念を払拭することが出来る。
【００６６】
次に、図７のシーケンス図を参照して、車載装置１００で行われる携帯電話端末装置２００から取得した個人情報及び通信履歴に基づいて推定された親密個人が遭遇し得る降雨又は降雪を通知する処理を説明する。なお、降雨は一例に過ぎず、以下に示す処理は、親密個人が遭遇し得る事象のうち相対的に緊急度や危険度が低い事象を携帯電話端末装置２００のユーザに通知する処理の一例である。なお、以下のシーケンス図では、情報取得通信制御部１０２は、ユーザの携帯電話端末装置２００と通信を行ってリアルタイムに気象情報を取得する例を示す。
【００６７】
なお、以下の処理は、携帯電話端末装置２００の通信履歴管理部２０２によって管理される通信履歴、及び、個人情報管理部２０３によって管理される個人情報のＧＰＳ情報（住所でもよい）及び／又は携帯電話番号に基づいて、親密個人の現在位置における気象情報を通知する例である。
【００６８】
先ず、ステップＳ２０１では、携帯電話端末装置２００の携帯端末制御部２０１は、携帯電話端末装置２００の通信制御部２０６を介して携帯電話端末装置２００のＧＰＳ情報とともに気象情報を取得する。
【００６９】
続いて、ステップＳ２０２では、携帯端末制御部２０１は、ステップＳ２０１で取得された気象情報が降雨又は降雪発生情報であるか否かを判定する。ステップＳ２０１で取得された地点の気象情報が降雨又は降雪発生情報であると判定されなかった場合、以降の処理は行われない。
【００７０】
続いて、ステップＳ２０３では、携帯端末制御部２０１は、ステップＳ２０１で取得された降雨又は降雪発生情報を携帯電話端末装置２００のＧＰＳ情報とともに携帯端末通信制御部２０５を介して車載装置１００へ出力する。
【００７１】
続いて、ステップＳ２０４では、車載装置１００の情報対象地点特定部１０１ｄは、ステップＳ２０３で受け渡された降雨又は降雪発生情報及び該当ＧＰＳ情報を親密個人情報で絞り込む処理を開始する。すなわち、情報対象地点特定部１０１ｄは、降雨又は降雪が発生した地点又は近隣に存在する親密個人を割り出す処理を行う。割り出す処理は、携帯電話端末装置２００のＧＰＳ情報に基づき親密個人の現在のＧＰＳ情報を取得することにより行う。
【００７２】
続いて、ステップＳ２０５では、情報対象地点特定部１０１ｄは、親密個人情報の氏名及びＧＰＳ情報の判定を開始する。具体的には、情報対象地点特定部１０１ｄは、ステップＳ２０６及びステップＳ２０７で親密個人情報を親密個人情報管理部１０１ｂ１から取得する。
【００７３】
続いて、ステップＳ２０８では、情報対象地点特定部１０１ｄは、ステップＳ２０７で取得された親密個人情報のＧＰＳ情報が降雨又は降雪発生地点を示すＧＰＳ情報と一致又は近似するか否かを判定する。一致又は近似する親密個人情報が存在しない場合は、以降の処理は行われない。ここで、ＧＰＳ情報の近似とは、降雨又は降雪発生地点を示すＧＰＳ情報と、親密個人情報に含まれるＧＰＳ情報との距離が所定値以下であり、ＧＰＳ情報で特定される二つの地点が近いことをいう。
【００７４】
続いて、ステップＳ２０９では、情報対象地点特定部１０１ｄは、ステップＳ２０８で降雨又は降雪発生地点を示すＧＰＳ情報と一致又は近似するＧＰＳ情報を含む親密個人情報に該当する親密個人に降雨又は降雪発生情報を配信する必要性があるかを判定するために、親密個人周辺の降雨又は降雪発生情報を情報通知必要性判定部１０１ｅへ出力する。親密個人周辺の降雨又は降雪発生情報を受け渡された情報通知必要性判定部１０１ｅは、親密個人情報に該当する親密個人に降雨又は降雪発生情報を配信する必要性を判定する。判定の結果、必要性がない場合、以降の処理は行われない。
【００７５】
続いて、ステップＳ２１０では、情報対象地点特定部１０１ｄは、親密個人周辺の降雨又は降雪発生情報を出力制御部１０１ｆへと受け渡す。続いて、ステップＳ２１１では、出力制御部１０１ｆは、親密個人に関わる緊急情報（ここでは降雨又は降雪発生情報）の通知タイミングを判定する。ステップＳ２１１の処理は、所定周期で行われる。すなわち、緊急情報の緊急性や重要性に基づき、車両の運転に差し支えがない適切なタイミングで緊急情報を入出力部１０４から出力する様に制御する。
【００７６】
続いて、ステップＳ２１２では、出力制御部１０１ｆは、携帯電話端末装置２００のユーザである車両の運転者に緊急情報を通知するために入出力部１０４から出力してもよいとされたタイミングで親密個人の現在のＧＰＳ情報を取得する。そして、親密個人の現在のＧＰＳ情報に基づき該当ＧＰＳ情報に対応する地点の降雨又は降雪発生情報の有無を判定する。なお、親密個人の現在のＧＰＳ情報に対応する地点の降雨又は降雪発生情報がない場合、以降の処理は行われない。
【００７７】
続いて、ステップＳ２１３では、出力制御部１０１ｆは、情報通知必要性判定部１０１ｅに対して、親密個人の現在のＧＰＳ情報に対応する地点の降雨又は降雪発生情報の通知を行う様に指示する。
【００７８】
続いて、ステップＳ２１４では、情報通知必要性判定部１０１ｅは、ユーザである運転者に通知する通知情報を作成する。続いて、ステップＳ２１５では、情報通知必要性判定部１０１ｅは、出力制御部（情報表示）１０１ｆに対して、ステップＳ２１４で作成された通知情報を受け渡す。
【００７９】
続いて、ステップＳ２１６では、出力制御部（情報表示）１０１ｆは、ステップＳ２１４で作成された通知情報を元に入出力部１０４から出力する表示及び／又は音声のデータを生成する。続いて、ステップＳ２１７では、出力制御部１０１ｆ（情報表示）は、表示画面データを入出力部（情報表示）１０４へ出力する。続いて、ステップＳ２１８では、入出力部（情報表示）１０４は、ステップＳ２１７で受け渡された表示画面データに基づく画面を表示する。
【００８０】
なお、ステップＳ２１８で入出力部１０４から表示出力される画面表示の態様は、例えば図８に例示する様なものである。入出力部１０４の表示画面１０４ａは、少なくとも「親密な人に関わる気象情報のお知らせ」のタイトル表示５０１と、「○○様の神戸周辺で現在雨が降っています」の通知情報表示５０２とを含む。運転者は、これらの表示を視認することによって、親密個人の動静を知ることが出来、また、気象情報を始めとする各種情報を親密個人に通知することが出来る。
【００８１】
次に、図９−１〜図９−４のシーケンス図を参照して、車載装置１００で行われる携帯電話端末装置２００から取得した個人情報及び通信履歴に基づいて推定された親密個人が遭遇し得る災害、事件、事故等を通知する処理を説明する。なお、災害、事件、事故は一例に過ぎず、以下に示す処理は、親密個人が遭遇し得る事象のうち相対的に緊急度や危険度が高い事象を携帯電話端末装置２００のユーザに通知する処理の一例である。なお、以下のシーケンス図では、車載装置１００の情報取得部１０１ｃは、インターネット上の情報源からリアルタイムに、災害、事件、事故の情報を含む緊急情報を取得する例を示す。
【００８２】
先ず、図９−１を参照する。ステップＳ３０１では、車載装置１００の制御部１０１は、シフトポジション信号が“Ｐ（Parking、駐車）”を示す信号であるか否かを判定する。シフトポジション信号とは、シフトレバーの位置を示す信号である。また、ステップＳ３０２では、制御部１０１は、パーキングブレーキ信号がオンであるか否かを判定する。
【００８３】
続いて、ステップＳ３０３では、制御部１０１は、所定周期で駐停車発生判定を行う。ここで、駐停車発生判定は、シフトポジション信号＝“Ｐ”かつパーキングブレーキ信号＝“オン”である状態を指す。そして、ステップＳ３０４では、制御部１０１は、シフトポジション信号＝“Ｐ”かつパーキングブレーキ信号＝“オン”である場合、駐停車発生有りと判定する。また、シフトポジション信号＝“Ｐ”かつパーキングブレーキ信号＝“オン”でない場合、制御部１０１は、駐停車発生無しと判定する。そして、ステップＳ３０５では、制御部１０１は、出力制御部１０１ｆに対して、自車両の駐停車の発生の有無を通知する。
【００８４】
上記の様に駐停車発生の有無を監視する理由は、車両の走行中に親密個人に関わる情報通知を運転者に行うと、安全運転に支障を来すためである。
【００８５】
続いて、ステップＳ３０６では、制御部１０１は、情報取得部１０１ｃによってインターネット上の情報源から最新ニュースを収集する。そして、ステップＳ３０７では、制御部１０１は、インターネット上の情報源から収集した最新ニュースから緊急情報を判定して収集する。
【００８６】
続いて、ステップＳ３０８では、制御部１０１は、ステップＳ３０７で収集された緊急情報を情報対象地点特定部１０１ｄへ出力する。続いて、ステップＳ３０９では、情報対象地点特定部１０１ｄは、親密個人の住所周辺（またはＧＰＳ情報）で緊急情報を絞り込む。
【００８７】
続いて、ステップＳ３１０では、情報対象地点特定部１０１ｄは、親密個人の氏名及び住所の判定を開始する。すなわち、ステップＳ３１１及びステップＳ３１２で、情報対象地点特定部１０１ｄは、親密個人情報管理部１０１ｂから親密個人の個人情報を取得する。続いて、ステップＳ３１３では、情報対象地点特定部１０１ｄは、インターネット上の情報源から収集した緊急情報を、親密個人の住所で（またはＧＰＳ情報）で絞り込む。
【００８８】
続いて、ステップＳ３１４では、情報対象地点特定部１０１ｄは、ステップＳ３１３で絞り込まれた住所周辺の緊急情報を出力制御部（情報表示）１０１ｆへ出力する。また、ステップＳ３１５では、情報対象地点特定部１０１ｄは、親密個人の氏名を出力制御部（情報表示）１０１ｆへ出力する。そして、ステップＳ３１６では、情報対象地点特定部１０１ｄは、親密個人の住所周辺の緊急情報の出力タイミングを制御するため出力制御部（通知タイミング）１０１ｆへ出力する。
【００８９】
続いて、図９−２を参照する。ステップＳ３１７では、出力制御部（通知タイミング）１０１ｆは、親密個人に関わる緊急情報（ここでは緊急情報）の通知タイミングを判定する。ステップＳ３１７の処理は、所定周期で行われる。すなわち、緊急情報の緊急性や重要性に基づき、車両の運転に差し支えがない適切なタイミングで緊急情報を入出力部１０４から出力する様に制御する。
【００９０】
続いて、ステップＳ３１８では、出力制御部（通知タイミング）１０１ｆは、親密個人の住所周辺での緊急事態発生の有無に応じて親密個人の住所周辺での緊急事態発生有無フラグをセットする。続いて、ステップＳ３１９では、出力制御部（通知タイミング）１０１ｆは、緊急事態発生後の駐停車実施の有無に応じて緊急事態発生後の駐停車実施有無フラグをセットする。
【００９１】
続いて、ステップＳ３２０では、出力制御部（通知タイミング）１０１ｆは、緊急事態発生有無フラグがオンかつ緊急事態発生後の駐停車実施有無フラグがオフ、すなわち、緊急事態発生を通知しなければならないが、車両が走行中であるため安全確保のため通知を控えている場合、駐停車勧告通知フラグをオンにする。続いて、ステップＳ３２１では、出力制御部１０１ｆは、駐停車勧告通知情報を作成する。そして、ステップＳ３２２では、出力制御部１０１ｆは、通知情報（表示、音声）のデータを生成する様に出力制御部（情報表示）１０１ｆに対して指示する。
【００９２】
続いて、ステップＳ３２３では、ステップＳ３２２の指示を受けた出力制御部（情報表示）１０１ｆは、通知情報（表示）のデータを生成する。そして、ステップＳ３２４では、出力制御部（情報表示）１０１ｆは、ステップＳ３２３で生成された通知情報（表示、音声）のデータを入出力部（情報表示）１０４に表示する様に出力制御部（情報表示）１０１ｆへ出力する。通知情報（表示、音声）のデータを受け渡された入出力部（情報表示）１０４は、データに応じた表示画像を入出力部１０４の表示画面１０４ａに表示させる。
【００９３】
続いて、ステップＳ３２５では、出力制御部１０１ｆは、通知情報（音声）のデータを生成する様に出力制御部（音声出力）１０１ｆに対して指示する。続いて、ステップＳ３２６では、ステップＳ３２５の指示を受けた出力制御部（音声出力）１０１ｆは、通知情報（音声）のデータを生成する。そして、ステップＳ３２７では、出力制御部（音声出力）１０１ｆは、ステップＳ３２６で生成された通知情報（音声）のデータを入出力部（音声出力）１０４から出力する様へ出力する。
【００９４】
続いて、ステップＳ３２８では、出力制御部（通知タイミング）１０１ｆは、緊急事態発生有無フラグがオンかつ緊急事態発生後の駐停車実施有無フラグがオン、すなわち、車両が駐停車しているため緊急事態発生の通知を行ってもよい場合、緊急情報通知フラグをオンにする。続いて、ステップＳ３２９では、出力制御部１０１ｆは、緊急通知情報を作成する。そして、ステップＳ３３０では、出力制御部１０１ｆは、通知情報（表示、音声）のデータを生成する様に出力制御部（情報表示）１０１ｆに対して指示する。
【００９５】
続いて、ステップＳ３３１では、出力制御部１０１ｆは、通知情報（表示）のデータを作成する。そして、ステップＳ３３２では、出力制御部１０１ｆは、通知情報（表示）のデータを生成する様に出力制御部（情報表示）１０１ｆに対して指示する。
【００９６】
続いて、ステップＳ３３３では、ステップＳ３２８の指示を受けた出力制御部（情報表示）１０１ｆは、緊急通知情報（音声）のデータを生成する。そして、ステップＳ３３４では、出力制御部（情報表示）１０１ｆは、ステップＳ３３３で生成された緊急通知情報（表示）のデータを入出力部（情報表示）１０４から出力する様に出力制御部（情報表示）１０１ｆへ出力する。通知情報（表示）のデータを受け渡された入出力部（情報表示）１０４は、データに応じた表示画像を入出力部１０４の表示画面１０４ａに表示させる。
【００９７】
続いて、ステップＳ３３３では、出力制御部１０１ｆは、通知情報（音声）のデータを生成する様に出力制御部（音声出力）１０１ｆに対して指示する。続いて、ステップＳ３３４では、ステップＳ３３３の指示を受けた出力制御部（音声出力）１０１ｆは、通知情報（音声）のデータを生成する。そして、ステップＳ３３５では、出力制御部（音声出力）１０１ｆは、ステップＳ３３４で生成された通知情報（音声）のデータを入出力部（音声出力）１０４から出力する様へ出力する。ステップＳ３３６では、ステップＳ３３４で生成された通知情報（音声）のデータを受け渡された入出力部（音声出力）１０４は、通知情報（音声）を出力する。
【００９８】
続いて図９−３を参照する。ステップＳ３３７では、情報対象地点特定部１０１ｄは、親密個人の携帯電話端末装置の電話番号で災害用伝言掲示板を絞り込んで親密個人の災害用伝言掲示板情報を取得できる様に準備する。ステップＳ３３７の処理は、所定周期で行われる。
【００９９】
続いて、ステップＳ３３８では、情報対象地点特定部１０１ｄは、親密個人の携帯電話番号を判定する。続いて、ステップＳ３３９及びステップＳ３４０では、情報対象地点特定部１０１ｄは、親密個人の携帯電話番号をキー項目として親密個人情報管理部１０１ｂ１から親密個人の個人情報を取得する。
【０１００】
続いて、ステップＳ３４１では、情報対象地点特定部１０１ｄは、携帯電話端末装置２００の携帯端末制御部２０１に対してステップＳ３３８で判定された親密個人の携帯電話番号に該当する災害用伝言掲示板へのアクセスを要求する。
【０１０１】
続いて、ステップＳ３４２では、携帯電話端末装置２００の携帯端末制御部２０１は、携帯電話会社が提供する、いわゆる災害用伝言掲示板に親密個人の電話番号をキー項目として災害用伝言掲示板の災害状態及びフリーコメント（伝言）を取得する様にする。そして、ステップＳ３４３で、携帯端末制御部２０１は、実際に災害用伝言掲示板にアクセスして検索を行い、目的とする親密個人の電話番号がヒットしたならば、ステップＳ３４４で、該当親密個人の災害状態及びフリーコメントを取得する。目的とする親密個人の電話番号がヒットし無ければ、以降の処理は行われない。
【０１０２】
続いて、ステップＳ３４５及びステップＳ３４６では、携帯電話端末装置２００の携帯端末制御部２０１は、災害用伝言掲示板を検索した結果である災害用伝言掲示板情報を情報対象地点特定部１０１ｄを介して出力制御部１０１ｆへ出力する。
【０１０３】
続いて、ステップＳ３４７では、携帯電話端末装置２００の携帯端末制御部２０１は、電子メール送受信履歴を取得する。そして、ステップＳ３４８では、電子メール受信履歴から電子メールアドレス、受信日時、メールタイトル及びメール本文を抽出する。そして、ステップＳ３４９では、携帯端末制御部２０１は、抽出した電子メールアドレス、受信日時、メールタイトル及びメール本文を車載装置１００の情報対象地点特定部１０１ｄへ出力する。
【０１０４】
続いて、ステップＳ３５０では、情報対象地点特定部１０１ｄは、親密個人の電子メールアドレスで安否返信メールを絞り込む。そして、ステップＳ３５１では、情報対象地点特定部１０１ｄは、親密個人の電子メールアドレスを判定する。
【０１０５】
続いて、ステップＳ３５２及びステップＳ３５３では、情報対象地点特定部１０１ｄは、ステップＳ３５１で判定された親密個人の電子メールアドレスをキー項目として親密個人情報管理部１０１ｂ１から親密個人の個人情報を取得する。
【０１０６】
続いて、ステップＳ３５４では、情報対象地点特定部１０１ｄは、電子メール受信履歴の電子メールアドレスと親密個人の電子メールアドレスとの一致に基づき、電子メール受信履歴から親密個人からの安否返信メールを絞り込む。そして、ステップＳ３５５では、情報対象地点特定部１０１ｄは、親密個人からの安否返信メールが電子メール受信履歴に存在したならば、該当安否返信メールを出力制御部１０１ｆへ出力する。
【０１０７】
次に、図９−４を参照する。ステップＳ３５６では、入出力部（情報表示）１０４は、所定スイッチ画像のタッチパネル操作の検知を行う。所定スイッチ画像のタッチパネル操作を検知したならば、情報通知必要性判定部１０１ｅに対してタッチパネル操作の要求内容を判定する様に指示する。これに応じて、ステップＳ３５７では、情報通知必要性判定部１０１ｅは、タッチパネル操作の要求内容を判定する。そして、ステップＳ３５８では、情報通知必要性判定部１０１ｅは、タッチパネル操作の要求内容が親密個人の安否情報の通知であることを出力制御部１０１ｆに通知する。
【０１０８】
そして、ステップＳ３５８では、出力制御部１０１ｆは、通知情報（表示、音声）のデータを生成する様に出力制御部（情報表示）１０１ｆに対して指示する。続いて、ステップＳ３５９では、ステップＳ３５８の指示を受けた出力制御部（情報表示）１０１ｆは、通知情報（表示、音声）を作成する。そして、ステップＳ３６０では、出力制御部１０１ｆは、ステップＳ３５９で作成された通知情報（表示、音声）を出力制御部（情報表示）１０４へ出力する。
【０１０９】
続いて、ステップＳ３６１では、ステップＳ３５９で作成された通知情報（表示、音声）を受け渡された出力制御部（情報表示）１０１ｆは、通知情報（表示、音声）のデータを生成する。そして、ステップＳ３６２では、出力制御部（情報表示）１０１ｆは、ステップＳ３６１で生成された通知情報（表示）のデータを入出力部（情報表示）１０４に表示する様に出力制御部（情報表示）１０１ｆへ出力する。通知情報（表示、音声）のデータを受け渡された入出力部（情報表示）１０４は、データに応じた表示画像を入出力部１０４の表示画面１０４ａに表示させる。
【０１１０】
続いて、ステップＳ３６３では、出力制御部１０１ｆは、通知情報（音声）のデータを生成する様に出力制御部（音声出力）１０１ｆに対して指示する。続いて、ステップＳ３６４では、ステップＳ３６３の指示を受けた出力制御部（音声出力）１０１ｆは、通知情報（音声）のデータを生成する。そして、ステップＳ３６５では、出力制御部（音声出力）１０１ｆは、ステップＳ３６４で生成された通知情報（音声）のデータを入出力部（音声出力）１０４から出力する様へ出力する。そしてステップＳ３６６では、入出力部（音声出力）１０４は、受け渡された通知情報（音声）のデータを出力する。
【０１１１】
なお、図１０−１に例示する入出力部１０４の表示画面１０４ａの表示態様は、図９−２のステップＳ３２４で出力制御部（情報表示）１０１ｆから入出力部（情報表示）１０４へ受け渡された表示画像データに基づく駐停車推奨の表示画像である。入出力部１０４の表示画面１０４ａは、少なくとも「大切なお知らせ」のタイトル表示６０１と、「大切なお知らせがあります。駐停車可能な場所がありましたら駐停車して下さい」の通知情報表示６０２とを含む。車両の運転者は、図１０−１に例示する駐停車推奨の表示画像及び付随する音声出力によって、親密個人の周辺に重大な事態が発生した可能性があることを認識することができる。
【０１１２】
また、図１０−２に例示する入出力部１０４の表示画面１０４ａの表示態様は、図９−３のステップＳ３３２で出力制御部（情報表示）１０１ｆから入出力部（情報表示）１０４へ受け渡された表示画像データに基づく車両の駐停車後に表示される緊急情報通知の表示画像である。入出力部１０４の表示画面１０４ａは、少なくとも「親密な人に関わる緊急情報のお知らせ」のタイトル表示６０３と、「１５：３０、○○様のお住まいの地域で震度６の地震が発生しました。○○様の安否を確認しますか？」の通知情報表示６０４と、「はい」のスイッチ表示画像６０５と、「いいえ」のスイッチ表示画像６０６とを含む。車両の運転者は、図１０−２に例示する緊急情報通知の表示画像及び付随する音声出力によって、親密個人の周辺に重大な事態が発生した可能性があることを認識することができる。そして、「はい」のスイッチ表示画像６０５を押下することによって親密個人の安否を容易に確認することが出来る。なお、「いいえ」のスイッチ表示画像６０６を押下すると、図１０−２の表示画像は消去される。
【０１１３】
また、図１０−３及び図１０−４に例示する入出力部１０４の表示画面１０４ａの表示態様は、図９−３のステップＳ３３７〜ステップＳ３４６の一連の処理の開始の契機となる緊急情報通知の表示画像である。図１０−３の入出力部１０４の表示画面１０４ａの表示態様は、図１０−２と同様である。タイトル表示６０７は、タイトル表示６０３と同一であり、通知情報表示６０８は、通知情報表示６０４と同一であり、「はい」のスイッチ表示画像６０９はスイッチ表示画像６０５と同一であり、「いいえ」のスイッチ表示画像６１０は、スイッチ表示画像６０６と同一である。
【０１１４】
図１０−４は、図１０−３に例示する緊急情報通知の表示画像の「はい」のスイッチ表示画像６０９を押下した後に遷移する画像表示である。この表示画像は、少なくとも災害用伝言掲示板の情報を表示する。災害用伝言掲示板の情報表示画面は、「親密な人の安否確認のお知らせ」のタイトル表示６１１と、「災害用伝言掲示版に○○様のメッセージがあります」の災害用伝言掲示板情報有無表示６１２と、「状況、無事、コメント、みんな元気です。小学校の体育館に避難しています。」の災害用伝言掲示板情報表示６１３とを含む。車両の運転者は、図１０−４に例示する災害確認伝言掲示版を利用した親密な人の安否確認情報を１回のスイッチ押下のみで容易に確認することができる。
【０１１５】
以上の様に、情報源から取得される情報が指し示す内容及び情報対象位置が、ユーザの親密個人に関わりがある場合、ユーザは親密個人の安否を懸念するが、災害用伝言掲示版や安否確認メールを自動的に送信し、親密個人の安否が確認できればユーザの懸念は払拭されることになる。
【０１１６】
なお、上記実施の形態では、親密個人の位置として携帯電話端末装置に設定した情報を用いるとしたが、親密個人の現在位置を携帯電話端末装置間の通信によって取得し用いてもよい。
【０１１７】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、上記記載に限定されるものではない。
【０１１８】
また、上記実施形態の一例において説明した各処理のうち、自動的に行われるものとして説明した処理の全部または一部を手動的に行うこともでき、あるいは、手動的に行われるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【０１１９】
また、図示した各装置の各構成要素は機能概念的なものであり、必ずしも物理的に図示のように構成されていることを要しない。すなわち、各装置の分散及び／又は統合の具体的形態は図示のものに限られず、その全部又は一部を、各種の負荷や使用状況などに応じて、任意の単位で機能的または物理的に分散及び／又は統合して構成することができる。
【０１２０】
さらに、各装置にて行なわれる各処理機能は、その全部又は任意の一部が、ＣＰＵ（Central  Processing  Unit）またはＭＰＵ（Micro  Processing  Unit）、ＭＣＵ（Micro  Controller  Unit）などのマイクロ・コンピュータ、及び、ＣＰＵ（またはＭＰＵ、ＭＣＵなどのマイクロ・コンピュータ）にて解析実行されるプログラムにて実現されてもよいし、或いは、ワイヤードロジックによるハードウェアとして実現されてもよい。
【図面の簡単な説明】
【０１２１】
【図１】実施形態の一例に係る情報通知システムの構成を示すブロック図である。
【図２】通信履歴情報テーブルの一例を示す図である。
【図３】個人情報テーブルの一例を示す図である。
【図４】通信時間（または通信回数もしくは通信パケット量）合計一時記憶テーブルの一例を示す図である。
【図５】親密個人情報テーブルの一例を示す図である。
【図６】車載装置で行われる携帯電話端末装置から取得した個人情報及び通信履歴に基づいて親密個人を推定する親密個人推定処理を示すシーケンス図である。
【図７】車載装置で行われる携帯電話端末装置から取得した個人情報及び通信履歴に基づいて推定された親密個人が遭遇し得る降雨又は降雪を通知する処理を示すシーケンス図である。
【図８】車載装置の入出力部の表示画面に表示される通知情報の表示態様の一例を示す図である。
【図９−１】車載装置で行われる携帯電話端末装置から取得した個人情報及び通信履歴に基づいて推定された親密個人が遭遇し得る災害、事件、事故等を通知する処理を示すシーケンス図（その１）である。
【図９−２】車載装置で行われる携帯電話端末装置から取得した個人情報及び通信履歴に基づいて推定された親密個人が遭遇し得る災害、事件、事故等を通知する処理を示すシーケンス図（その２）である。
【図９−３】車載装置で行われる携帯電話端末装置から取得した個人情報及び通信履歴に基づいて推定された親密個人が遭遇し得る災害、事件、事故等を通知する処理を示すシーケンス図（その３）である。
【図９−４】車載装置で行われる携帯電話端末装置から取得した個人情報及び通信履歴に基づいて推定された親密個人が遭遇し得る災害、事件、事故等を通知する処理を示すシーケンス図（その４）である。
【図１０−１】入出力部の表示画面の表示態様の一例を示す図である。
【図１０−２】入出力部の表示画面の表示態様の一例を示す図である。
【図１０−３】入出力部の表示画面の表示態様の一例を示す図である。
【図１０−４】入出力部の表示画面の表示態様の一例を示す図である。
【符号の説明】
【０１２２】
１００    車載装置
１０１    制御部
１０１ａ    個人情報及び通信履歴取得部
１０１ｂ    親密度推定部
１０１ｂ１    親密個人情報管理部
１０１ｃ    情報取得部
１０１ｄ    情報対象地点特定部
１０１ｅ    情報通知必要性判定部
１０１ｆ    出力制御部
１０１ｇ    選択受付部
１０２    情報取得通信制御部
１０２ａ    アンテナ
１０３    情報管理部
１０４    入出力部
１０４ａ    表示画面
１０５    装置側携帯端末通信制御部
１０６    位置取得部
１０７    装置側通信制御部
１０７ａ    アンテナ
２００    携帯電話端末装置
２０１    携帯端末制御部
２０１ａ    通信履歴記録処理部
２０１ｂ    個人情報記録処理部
２０１ｃ    通信履歴受渡部
２０２    通信履歴管理部
２０３    個人情報管理部
２０４    携帯端末入出力部
２０５    携帯端末通信制御部
２０５ａ    アンテナ
２０６    通信制御部
２０６ａ    アンテナ
５０１、６０１、６０３、６０７、６１１    タイトル表示
５０２、６０２、６０４、６０８    通知情報表示
６０５、６０６    スイッチ表示画像
６０９、６１０    スイッチ表示画像
６１２    災害用伝言掲示板情報有無表示
６１３    災害用伝言掲示板情報表示
Ｓ    情報通知システム
【図１】
2010154121.tif 000003
【図２】
2010154121.tif 000004
【図３】
2010154121.tif 000005
【図４】
2010154121.tif 000006
【図５】
2010154121.tif 000007
【図６】
2010154121.tif 000008
【図７】
2010154121.tif 000009
【図８】
2010154121.tif 000010
【図９−１】
2010154121.tif 000011
【図９−２】
2010154121.tif 000012
【図９−３】
2010154121.tif 000013
【図９−４】
2010154121.tif 000014
【図１０−１】
2010154121.tif 000015
【図１０−２】
2010154121.tif 000016
【図１０−３】
2010154121.tif 000017
【図１０−４】
2010154121.tif 000018